(57)【要約】      （修正有）【課題】プリザーブドフラワーの生花にカラースプレーやコペックカラーを噴射しさらに形を整えて形成されるチェンジングフラワーを提供する。【解決手段】プリザーブドフラワーに所望の色彩のカラースプレーやコペックカラーを噴射し、外花弁から順に開き形を整えながら、更に別の色のカラースプレーやコペックカラーを噴射し最後にフラワースプレーにより色止め形崩れ防止を行う。【選択図】図１１
0003182269.tif 000002
【実用新案登録請求の範囲】
【請求項１】
プリザーブドフラワーをベースにし、これにペインティングを施してなるチェンジングフラワーであって、該花は所望のプリザーブドフラワーの生花に任意の色のカラースプレーやコペックカラーを噴射し、花芯をワイヤーで固定し外花弁から順に開き、フローラルテープで茎を巻き、別の色のカラースプレーやコペックカラーを任意の箇所に噴射し、自然なグラデーションが出来た状態に、フラワースプレーで色止めと形崩れ防止をして形成せれることを特徴とするチェンジングフラワー。
【請求項２】
カラースプレーやコペックカラーの噴射替わりにカラースプレーやコペックカラーを任意の箇所に直接色置きをする事を特徴とする請求項１に記載のチェンジングフラワー。
【考案の詳細な説明】
【技術分野】
【０００１】  本考案は、プリザーブドフラワーの生花にカラースプレーやコペックカラーで色付けしてなるチェンジングフラワーに関する。
【背景技術】
【０００２】  プリザーブドフラワーとしての生花は従来より存在し公知のものとなっており、これを用いた諸々手法等は開示されているが、後に詳しく説明する本考案のように、プリザーブドフラワーの生花をベースとして、これにカラースプレーやコペックカラーで色付けしたものは考案者の調査では見当たらない。但し、プリザーブドフラワーに着色した技術としては、「特許文献１」が挙げられる。なお、プリザーブドフラワーについては、同一出願人による特開２００９−６６７８３及びフリーフリー百科事典に紹介されている。
【先行技術文献】
【特許文献】
【０００３】
【特許文献１】  特開２００７−３２０３０５号（図１）
【考案の概要】
【考案が解決しようとする課題】
【０００４】  前記の「特許文献１」の「特開２００７−３２０３０５号」の「プリザーブドフラワーアレンジメントの造形方法」はプリザーブドフラワーの生花を使用しているものであり、好みの着色をするものであるが、生花の花材の樹液を抜いて好みの色に着色して生き生きとした手触りを残し美的造形を楽しむ造形技術に関するものであり、本考案のようにプリザーブドフラワーの生花の形態を変化させながら任意の場所にカラースプレーやコペックカラーを噴射又は色置きしてボカシのある美しいチェンジングフラワーとするものとは大きく相違する。【０００５】  本考案は前記したようにプリザーブドフラワーの生花に形を加えながら任意の箇所や意斗した箇所にカラースプレーやコペックカラーを噴射又は色置きして従来のプリザーブドフラワーよりも数段に美しい花とするチェンジングフラワーを提供する事を目的とする。
【課題を解決するための手段】
【０００６】  本考案は以上の目的を達成するために、請求項１の考案は、プリザーブドフラワーをベースにし、これにペインティングを施してなるチェンジングフラワーであって、該花は所望のプリザーブドフラワーの生花に任意の色のカラースプレーやコペックカラーを噴射し、花芯をワイヤーで固定し外花弁から順に開き、フローラルテープで茎を巻き、別の色のカラースプレーやコペックカラーを任意の場所に噴射し、自然なグラデーションが出来た状態に、フラワースプレーで色止めと形崩れ防止をして形成せれることを特徴とする。【０００７】  また、請求項２の考案は、カラースプレーやコペックカラーの噴射の替わりにカラースプレーやコペックカラーを任意の箇所に直接色置きをする事を特徴とする。
【考案の効果】
【０００８】  本考案の請求項１及び請求項２のチェンジングフラワーによれば、プリザーブドフラワーの生花を外花弁から順に開きながら任意の箇所や意斗した箇所に所望の色彩のカラースプレーやコペックカラーを噴射又は色置きし、その状態を固定化して形成されるものであり、従来のプリザーブドフラワーに較べて数段美しいプリザーブドフラワーにする効果を上げることが出来る。
【図面の簡単な説明】
【０００９】
【図１】  本考案のチェンジングフラワーを示す平面図
【図２】  コペックカラーの噴射の替わりに色置きしてなるチェンジングフラワーを示す平面図
【図３】  従来のプリザーブドフラワーを示す平面図
【図４】  プリザーブドフラワーの生花の中心部にカラースプレーやコペックカラーを噴射している状態を示す模式的斜視図
【図５】  花芯にワイヤーを差した状態を示す斜視図
【図６】  外花弁を開いた状態を示す平面図
【図７】  接着剤で固定しながら、花弁を順に広げて開かせる状態を示す模式的斜視図
【図８】  茎の部分にフローラルテープを巻いた状態を示す模式的斜視図
【図９】  図８の状態を上面から見た平面図
【図１０】  更に別の色彩のカラースプレーやコペックカラーを噴射している状態を示す模式的斜視図
【図１１】  色止め形崩れ防止のためのフラワースプレーの噴射状態を示す模式的斜視図
【考案を実施する為の形態】
【００１０】  以下、本考案のチェンジングフラワーの実施の形態を、図面を参照して詳述する。
【実施例１】
【００１１】  図１は本考案のチェンジングフラワーの一実施例の完成状態を示すものであり、従来のプリザーブドフラワーに比較して数段の美しさがあることが解る。【００１２】  以下、図１に示したチェンジングフラワーの作り方について説明する。
まず、図３に示すように白色のプリザーブドフラワーの生花１を準備する。【００１３】  次に図４に示すようにプリザーブドフラワーの生花１の全体に本実施例では、ピンク色のコペックカラーを噴射する。【００１４】  次に、図５に示すように花芯にワイヤーを差し込み、花芯を支えるようにワイヤーを子房に合わせて曲げる。【００１５】  次に、図６に示すように、外花弁３を開く。【００１６】  更に、図７に示すように、接着剤で固定しながら、全体の花弁を順々に広げて自然に開花しているように開かせる。【００１７】  図８に示すように茎の部分にフローラルテープ４を巻き全体を固定する。この正面の状態が図９に示されている。【００１８】  更に、図１０に示すように、別のコペックカラーを噴射する【００１９】  自然なグラデーションが出来たら図１１に示すようにフラワースプレーを噴射し色止め及び形崩れ防止を行う。
【実施例２】
【００２０】  図２はコペックカラーを噴射する替わりに色置きして形成されたチェンジングフラワーを示すものであり、実施例１とは相違する美しさのチェンジングフラワーが形成される。【００２１】  本考案は、以上の内容のものからなるが、本考案は以上の明細の内容に限定されるものではなく同一技術的範疇のものが適用されることは勿論である。
【産業上の利用可能性】
【００２２】  本考案はすべてのプリザーブドフラワーに対して適用可能であり、その利用範囲は極めて広い。
【符号の証明】
【００２３】１      生花
２      ワイヤー
３      外花弁
４      フローラルテープ
【図１】
0003182269.tif 000003
【図２】
0003182269.tif 000004
【図３】
0003182269.tif 000005
【図４】
0003182269.tif 000006
【図５】
0003182269.tif 000007
【図６】
0003182269.tif 000008
【図７】
0003182269.tif 000009
【図８】
0003182269.tif 000010
【図９】
0003182269.tif 000011
【図１０】
0003182269.tif 000012
【図１１】
0003182269.tif 000013
【手続補正書】
【提出日】平成24年12月19日(2012.12.19)
【手続補正１】
【補正対象書類名】実用新案登録請求の範囲
【補正対象項目名】全文
【補正方法】変更
【補正の内容】
【実用新案登録請求の範囲】
【請求項１】
完成されているプリザーブドフラワーの表面の任意の箇所に単色又は複色のカラー塗着部を形成すると共に、前記カラー塗着部の表面に色止め型崩れ防止部を形成してなることを特徴とするチェンジングフラワー
【手続補正２】
【補正対象書類名】明細書
【補正対象項目名】全文
【補正方法】変更
【補正の内容】
【考案の詳細な説明】
【技術分野】
【０００１】  本考案は、プリザーブドフラワーの生花にカラースプレーやコピックカラーで色付けしてなるチェンジングフラワーに関する。
【背景技術】
【０００２】  プリザーブドフラワーとしての生花は従来より存在し公知のものとなっており、これを用いた諸々手法等は開示されているが、後に詳しく説明する本考案のように、プリザーブドフラワーの生花をベースとして、これにカラースプレーやコピックカラーで色付けしたものは考案者の調査では見当たらない。但し、プリザーブドフラワーに着色した技術としては、「特許文献１」が挙げられる。なお、プリザーブドフラワーについては、同一出願人による特開２００９−６６７８３及びフリーフリー百科事典に紹介されている。
【先行技術文献】
【特許文献】
【０００３】
【特許文献１】  特開２００７−３２０３０５号（図１）
【考案の概要】
【考案者が解決しようとする課題】
【０００４】  前記の「特許文献１」の「特開２００７−３２０３０５号」の「プリザーブドフラワーアレンジメントの造形方法」はプリザーブドフラワーの生花を使用しているものであり、好みの着色をするものであるが、生花の花材の樹液を抜いて好みの色に着色して生き生きとした手触りを残し美的造形を楽しむ造形技術に関するものであり、本考案のようにプリザーブドフラワーの生花の形態を変化させながら任意の場所にカラースプレーやコピックカラーを噴射又は色置きしてボカシのある美しいチェンジングフラワーとするものとは大きく相違する。
【０００５】  本考案は完成しているプリザーブドフラワーの生花の任意の箇所に、カラースプレーやコピックカラーを噴射又は色置きしてカラー塗着部を形成すると共に、色止め型崩れ防止部を形成して、美観向上と耐久性の向上を図るように形成されるチェンジングフラワーを提供する事を目的とする。
【課題を解決すための手段】
【０００６】  本考案は以上の目的を達成するために、請求項１の考案は、完成されているプリザーブドフラワーの表面の任意の箇所に単色又は複色のカラー塗着部を形成すると共に前記カラー塗着部の表面に色止め型崩れ防止部を形成してなることを特徴とする。
【考案の効果】
【０００７】  本考案の請求項１のチェンジングフラワーによれば、完成されているプリザーブドフラワーの表面にカラー塗着部や色止め型崩れ防止部を形成することにより、従来のものに較べて美観の向上が図られると共に耐久性を向上させる効果を上げる事が出来る。
【図面の簡単な説明】
【０００８】
【図１】  （図１）〜（図４）は本考察に係るチェンジングフラワーの平面図、（図５）は従来のプリザーブドフラワーの平面図  （図１）色噴射によってカラー塗着部を形成してなるチェンジングフラワーを示す平面図  （図２）色置きによってカラー塗着部を形成してなるチェンジングフラワーの平面図  （図３）カラー塗着部を有するチェンジングフラワーの表面に色止め型崩れ防止部を形成してなるチェンジングフラワーの平面図  （図４）本考案によるチェンジングフラワーを複数箇使用してなるフラワー美術品の一例を示す斜視図  （図５）完成されている従来のプリザーブドフラワーを示す平面図
【考案を実施する為の形態】
【０００９】  以下、本考案のチェンジングフラワーの実施の形態を、図面を参照して詳述する。
【実地例１】
【００１０】  図５に示すプリザーブドフラワー２００は全体が白色であるが完成された生花でありその自体としては美しいものである。
図１のチェンジングフラワー１００は図５に示したプリザーブドフラワー２００にカラー塗着部１を設けたものである。このカラー塗着部１は色付けによるものであり、その方法としては各種のものが有るが、この実施例１ではカラースプレーやコピックカラーを噴射して形成したものである。勿論、この色付けはこれ等の方法に限定するものではない。
図示のように、カラー塗着部１を形成することにより、美観の向上が図れる。
図１では赤色の単色のものであるが、色の種類は勿論これに限定するものでもなく、更に複色のものも適用できることは勿論である。
【実地例２】
【００１１】  図２に示すチェンジングフラワー１００Ａは図１のものと異なり色を例えばカラースプレーやコピックカラーを直接色置きして、カラー塗着部１ａを形成したものである。この色付けによっても前記とほぼ同様に美観の向上が図れる。
【実地例３】
【００１２】  図３に示すものは実施例１や実施例２に示したチェンジングフラワー１００や１００Ａのカラー塗着部１や１ａの部位に色止め型崩れ防止部２は例えばフラワースプレーを用いて行うが勿論これに限定するものではない。
【００１３】  図４は以上の形状のチェンジングフラワー１００や１００Ａのごときものを複数個配彩して美観のあるフラワー美術品を示したものであり、図示していないが各種のフラワー美術品をチェンジングフラワー１００や１００Ａ等を用いて形成することが出来る。
【００１４】  本考案は、以上の内容のものからなるが、本考案は以上の明細の内容に限定されるものではなく同一技術的範疇のものが適用されることは勿論である。
【産業上の利用可能性】
【００１５】  本考案はすべてのプリザーブドフラワーに対して適用可能であり、その利用範囲は極めて広い。
【符号の証明】
【００１６】  １        カラー塗着部
１ａ      カラー塗着部
２        色止め型崩れ防止部
１００    チェンジングフラワー
１００Ａ  チェンジングフラワー
２００    プリザーブドフラワー
【手続補正３】
【補正対象書類名】図面
【補正対象項目名】全図
【補正方法】変更
【補正の内容】
【図１】
0003182269.tif 000014